(57)【要約】【課題】  関連機器の機能の低下や混合水栓の使い勝手に影響を与えることがなく、しかも混合水栓と関連機器とを連通する配管により、混合水栓の取付箇所の見栄えを損ねることのない分岐接続具を提供する。【解決手段】  水道配管Ｃ，Ｈに接続された供給管１１，１１ａと混合水栓１との間に装着される分岐接続具２０である。分岐接続具２０の分岐本体２１は、供給管１１，１１ａに連通する流入口２２，２２ａと、混合水栓１に連通する流出口２３，２３ａと、流入口２２，２２ａと流出口２３，２３ａとを連通する第１，第３流路２６，２８と、分岐本体２１に形成された混合室２５と、流入口２２，２２ａから混合室２５へ連通する第２，第４流路２７，２９と、外部へ送水可能な分岐口３５とを備え、混合室２５の上流側に開口３２が形成され、開口３２に調節部材４１が収容されるとともに、この調節部材４１は操作部材４７と連繋した。【選択図】  図１
2006169762.tif 000002
【特許請求の範囲】
【請求項１】
キッチンの壁面に配設した水，湯の水道配管の末端部に接続された各供給管と混合水栓との間に装着される分岐接続具において、分岐接続具は水，湯の各供給管と混合水栓とに接続される分岐本体を備えており、この分岐本体は、水，湯の各供給管に形成された接続口と連通する水，湯の各流入口と、混合水栓に形成された水，湯の各取付口と連通する水，湯の各流出口と、水流入口と水流出口とを連通する第１流路と、湯流入口と湯流出口とを連通する第３流路と、分岐本体の内部に形成された混合室と、水流入口，湯流入口から混合室へと連通する第２流路，第４流路と、混合室と連通し外部へ送水可能な分岐口とを備え、混合室の上流側には前記第２，第４流路を連通するように開口が形成され、この開口に混合室へ供給される水，湯の流量を調節可能な調節部材が収容されるとともに、この調節部材は分岐本体の外部に設けられた操作部材と連繋したことを特徴とする分岐接続具。
【請求項２】
前記分岐口は分岐本体の側面に形成され、分岐本体の中心で壁面と混合水栓とを結ぶ軸線を中心として１８０度回転させた状態で水栓本体及び供給管に取付可能としたことを特徴とする請求項１記載の分岐接続具。
【発明の詳細な説明】
【技術分野】
【０００１】
この発明は、水道配管の末端部と混合水栓との間に介在される分岐接続具に関する。
【背景技術】
【０００２】
混合水栓に給水を行う水側流路もしくは給湯を行う湯側流路に分岐流路を設け、この分岐流路によって、食器洗浄機や浄水器等の関連機器に水もしくは湯の供給を行う分岐接続具として公知のものに、特許文献１のものがある。
【０００３】
特許文献１では、分岐接続具は、壁面に埋設された水側及び湯側の各水道配管の末端部に接続された供給管と、混合水栓の背面に形成された水側及び湯側の各接続口との間に介在されるものであり、水側又は湯側の供給管と混合水栓の一方の接続口との間にＴ字状の分岐接続具を付加し、もう一方の供給管と混合水栓の他方の接続口との間に直線状のアダプターを付加したものである。そして、分岐接続具に形成された分岐口に配管を介して食器洗浄機や浄水器等の関連機器が接続されている。
【０００４】
【特許文献１】実公平７−２７５３号公報
【発明の開示】
【発明が解決しようとする課題】
【０００５】
特許文献１においては、例えば給水側の分岐口に食器洗浄機への配管を接続する場合は、食器洗浄機へは水のみしか供給することができない。また、食器には調理用の油等が付着しており、この油を素早く洗い落とすには、水よりも適温の湯が適しており、適温の湯で食器を洗うには、分岐接続具又は食器洗浄機の何れかに加熱器を設けて水を加熱する必要がある。この場合、混合水栓から水を分岐しても、この水が適温の湯となるまで加熱するには時間がかかり、素早く食器洗いを行なうことができない。
【０００６】
一方、給湯側の分岐口に食器洗浄機への配管を接続する場合では、食器洗浄機へは高温の湯が直接供給されるので、給水側に接続したときのような加熱器による加熱は不要となり、食器洗いを素早く行なうことができる。
【０００７】
しかしながら、高温の湯が食器洗浄機に直接供給されると、食器に付着した蛋白質が高温の湯に曝されることによって食器に固着してしまい、除去できなくなってしまう。
【０００８】
また、分岐接続具の分岐口は、混合水栓の右側又は左側に開口しているが、関連機器の設置場所が分岐口の開口と逆方向であった場合、配管の一端を分岐口に接続するとともに、水側の供給管やアダプターとの干渉を回避しつつ、混合水栓の上方または下方に引き回して関連機器に接続する必要がある。したがって、配管は必要以上に長く、混合水栓の上方または下方に湾曲した状態となり、混合水栓の取付箇所の見栄えを大きく損ねてしまう。
【０００９】
この発明は、このような従来の技術に存在する問題点に着目してなされたものであり、その目的は、壁面の裏側に配設された水道配管に接続された供給管と混合水栓との間に介在され、関連機器へ水又は湯を供給する分岐接続具において、関連機器の機能の低下や混合水栓の使い勝手に影響を与えることがなく、しかも混合水栓と関連機器とを連通する配管により、混合水栓の取付箇所の見栄えを損ねることのない分岐接続具を提供することである。
【課題を解決するための手段】
【００１０】
上記目的を達成するため本発明の請求項１では、キッチンの壁面に配設した水，湯の水道配管の末端部に接続された各供給管と混合水栓との間に装着される分岐接続具において、分岐接続具は水，湯の各供給管と混合水栓とに接続される分岐本体を備えており、この分岐本体は、水，湯の各供給管に形成された接続口と連通する水，湯の各流入口と、混合水栓に形成された水，湯の各取付口と連通する水，湯の各流出口と、水流入口と水流出口とを連通する第１流路と、湯流入口と湯流出口とを連通する第３流路と、分岐本体の内部に形成された混合室と、水流入口，湯流入口から混合室へと連通する第２流路，第４流路と、混合室と連通し外部へ送水可能な分岐口とを備え、混合室の上流側には前記第２，第４流路を連通するように開口が形成され、この開口に混合室へ供給される水，湯の流量を調節可能な調節部材が収容されるとともに、この調節部材は分岐本体の外部に設けられた操作部材と連繋したものである。
【００１１】
請求項２に記載の発明では請求項１記載の分岐接続具において、前記分岐口は分岐本体の側面に形成され、分岐本体の中心で壁面と混合水栓とを結ぶ軸線を中心として１８０度回転させた状態で水栓本体及び供給管に取付可能としたものである。
【発明の効果】
【００１２】
本発明の請求項１では、分岐接続具は、調節部材と連繋した操作部材を操作することにより、分岐口から外部へ送水される水，湯の温度を調節することができるので、関連機器に対して水，湯，混合水の何れかを送水することができ、関連機器の機能の低下を招くことがない。また、給湯器の設定温度を変更する必要がないので、複数の混合水栓に給湯するような設備であっても、それぞれの混合水栓の使い勝手に影響を与えることがない。
【００１３】
本発明の請求項２では請求項１の分岐接続具において、前記分岐口は分岐本体の側面に形成され、分岐本体の中心で壁面と混合水栓とを結ぶ軸線を中心として１８０度回転させた状態で水栓本体及び供給管に取付可能としたので、混合水栓の左右何れかに設置された関連機器に対応して分岐口の向きを変更することで、分岐口と関連機器とを接続する配管の長さは常に最短とすることができ、混合水栓の取付箇所の見栄えを損ねることがない。
【発明を実施するための最良の形態】
【００１４】
以下、本発明の実施例を図に基づいて詳細に説明する。
【実施例１】
【００１５】
図１乃至図８を用いて本発明に係る分岐接続具の第１の実施例について説明する。
本発明の分岐接続具２０は、図１に示すように、キッチンの壁面Ｗに取り付けられた混合水栓１に適用されるものであり、この混合水栓１は、給水源，給湯源からの水，湯が供給される水栓本体２と、水栓本体２の上部に収容された弁装置３と、弁装置３と連繋したレバー４と、レバー４の操作により弁装置３で混合された混合水を吐水する吐水管（図示省略）とから構成されている。そして、この混合水栓１は水側，湯側の水道配管の末端部Ｃ，Ｈに対して、一対の供給管１１，１１ａと分岐接続具２０とを介在させた状態で取り付けられている。
【００１６】
前記水栓本体２は背面の両端に取付口６，７がそれぞれ形成されており、この取付口６，７に分岐接続具２０が取り付けられている。
【００１７】
前記供給管１１，１１ａは内部に流路１２を有する略Ｌ字形状で、一端には雄ねじ部１３が形成されており、この雄ねじ部１３は水道配管の末端部Ｃ，Ｈに形成された雌ねじ部Ｃ１，Ｈ１に螺合することで、供給管１１，１１ａは水道配管の末端部Ｃ，Ｈに接続される。また、供給管１１，１１ａの他端には接続口１４が形成されており、この接続口１４は袋ナット１５を介して分岐接続具２０に接続される。
【００１８】
前記分岐接続具２０は、略直方体形状の分岐本体２１と、分岐本体２１の内部に収容され分岐本体２１へ供給された水，湯の混合割合を調節する調節部材４１と、調節部材４１と連繋するとともに分岐本体２１の外部に設けられた操作部材４７とを備えている。
【００１９】
前記分岐本体２１は図２に示すように、背面側の両端に流入口２２，２２ａが突出して形成されており、この流入口２２，２２ａには水側，湯側の供給管１１，１１ａの接続口１４，１４が袋ナット１５，１５を介して接続されることにより、供給管１１，１１ａと接続される。また、流入口２２，２２ａと対向する面、即ち正面側の両端には流出口２３，２３ａが突出して形成されており、この流出口２３，２３ａは袋ナット２４，２４ａを介して水栓本体２の取付口６，７に接続されることにより、混合水栓２と分岐本体２１とが接続される。さらに、分岐本体２１の左側面には分岐口３５が突出して形成されており、この分岐口３５は混合水栓２の近傍に設置された関連機器（図示省略）に配管Ｐを介して接続される。なお関連機器とは、例えば食器洗浄機，浄水器，スプレーシャワー等である。
【００２０】
図２乃至図６に示すように、分岐本体２１の内部には、水流入口２２から水流出口２３へ連通する第１流路２６と、水流入口２２から混合室２５へ連通する第２流路２７とが形成されるとともに、湯流入口２２ａから湯流出口２３ａへ連通する第３流路２８と、湯流入口２２ａから混合室２５へ連通する第４流路２９とが形成されている。この混合室２５の上流側には、第２流路２７と第４流路２９とを連通するように開口３２が形成され、この開口３２には、供給された水，湯の混合割合を調節するための調節部材４１が収容されている。また、混合室２５は分岐本体２１の側面に形成された分岐口３５と混合流路３４を介して連通しており、混合室２５に流入した水，湯は、調節部材４１により水，湯，混合水の何れかの状態で分岐口３５から外部へ送水される。なお、第２流路２７，第４流路２９の途中には収容室３０，３０ａがそれぞれ形成され、この収容室３０，３０ａには水，湯の逆流を防止する従来公知の逆止弁３１が収容されている。
【００２１】
前記調節部材４１は固定ナット４８を介して分岐本体２１の開口３２に収容されており、分岐本体２１に供給された水，湯の混合割合を調節するためのものである。この調節部材４１は図７に示すように、直径の異なる大小の円柱を組み合わせた形状であり、その一部を切り欠いて水調節口４３と湯調節口４４とが形成されている。そして水調節口４３の上下両側には環状溝４５が形成され、この環状溝４５にはゴム等の弾性材料からなるシール部材４６が装着されることで、調節部材４１と分岐本体２１とがシールされている。また調節部材４１の一端には操作軸４２が形成されており、この操作軸４２は分岐本体２１から外部へ突出している。
【００２２】
前記操作部材４７は回転式のハンドルであり、分岐本体２１の分岐口３５と対向する側面に設けられている。また図２に示すように、操作部材４７は前記操作軸４２と連繋されており、この操作部材４７を操作すると、調節部材４１の調節口４３，４４の流路２７，２９に対する開口面積を変化させ、水，湯の混合室２５への流入量を調節する。
【００２３】
ここで、分岐接続具２０の混合水栓１への取付手順について説明する。
キッチンの壁面Ｗに取り付けられた混合水栓１において、供給管１１，１１ａの袋ナット１５，１５を工具等により緩め、水栓本体２を供給管１１，１１ａから取り外す。そして、分岐接続具２０の水流入口２２と供給管１１の接続口１４とを、分岐接続具２０の湯流入口２２ａと供給管１１の接続口１４とを袋ナット１５，１５を介してそれぞれ接続するとともに、水栓本体２の水取付口６と分岐接続具２０の水流出口２３とを、水栓本体２の湯取付口７と分岐接続具２０の湯流出口２３ａとを袋ナット２４，２４ａを介してそれぞれ接続する。このとき、混合水栓１の近傍に設置する関連機器と分岐接続具２０とを接続する配管Ｐの距離が最短となるように分岐口３５の向きを調節する。
【００２４】
次に、分岐接続具２０における水，湯の流れについて説明する。
水道配管の末端部Ｃから供給管１１を介して分岐本体２１へ供給された水は、水流入口２２を始端部とし、第１流路２６を経て水栓本体２へ供給されるとともに、第２流路２７へ流入され、調節部材４１，逆止弁３１を通過して混合室２５へ供給される（図２における矢印ａ及びｂ）。また、水道配管の末端部Ｈから供給管１１を介して分岐本体２１へ供給された湯は、湯流入口２２ａを始端とし、第３流路２８を経て水栓本体２へ供給されるとともに、第４通路２９へ流入され、逆止弁３１，調節部材４１を通過して混合室２５へ供給される（図２における矢印ｃ及びｄ）。このとき、分岐本体２１の側面に設けられた操作部材４７を操作することで、調節部材４１の各調節口４３，４４の流路に対する開口面積を変化させ、混合室２５へ供給される水，湯の流入量を調節することができる。そして、所望温度に調節された混合水は、混合流路３４，分岐口３５へ経て混合水栓１の近傍（図１では混合水栓に対して左側）に設置された関連機器に送水される。
【００２５】
また図８に示すように、混合水栓１に対して他側方（図例では混合水栓に対して右側）に関連機器が設置される場合には、分岐本体２１の中心で、壁面Ｗと混合水栓１とを結ぶ軸線Ｘ−Ｘを中心として１８０度回転させて分岐口３５を分岐本体２１の右側とし、湯流入口２２ａを水側に配置してこれを水流入口とし、水流入口２２を湯側に配置してこれを湯流入口とすることで、分岐接続具２０と関連機器とを接続する配管Ｐの距離を最短とすることができる。
【００２６】
このように実施例１では、分岐接続具２０には水，湯を混合する調節部材４１が収容され、この調節部材４１と連繋した操作部材４７を操作することにより、混合水の温度を調節することができ、分岐口３５と連通した関連機器に対して水，湯，混合水の何れの状態でも供給することができる。しかも、分岐本体２１はその中心で、壁面Ｗと混合水栓１とを結ぶ軸線Ｘ−Ｘを中心として１８０度回転させて取り付けることで、混合水栓１の左右何れかに設置された関連機器に対応して分岐口３５の向きを変更させることができ、分岐接続具２０と関連機器とを接続する配管Ｐの長さを常に最短とすることができる。
【実施例２】
【００２７】
図９乃至図１２は本発明の第２の実施例であり、この実施例では回転式の調節部材に代えて進退式の調節部材が分岐本体の開口に収容された点で実施例１と異なる。なお、実施例１と同一の構成については同一符号を付し、詳細な説明は省略する。
【００２８】
図９乃至図１２に示すように、分岐本体２１ａの内部には、水流入口２２から水流出口２３へ連通する第１流路２６と、水流入口２２から混合室２５へ連通する第２流路２７とが形成されるとともに、湯流入口２２ａから湯流出口２３ａへ連通する第３流路２８と、湯流入口２２ａから混合室２５へ連通する第４流路２９とが形成されている。この混合室２５の上流側には、第２流路２７と第４流路２９とを連通するように開口３２が形成され、この開口３２には供給された水，湯の混合割合を調節するための調節部材５１が収容されている。また、混合室２５は分岐本体２１ａの側面に形成された分岐口３５と混合流路３４を介して連通しており、混合室２５に流入した水，湯は、調節部材５１により水，湯，混合水の何れかの状態で分岐口３５から外部へ送水される。なお、第４流路２９と混合室２５との間には調節部材５１が接離可能な第１弁座３６が形成されている。
【００２９】
前記調節部材５１は固定ナット５５を介して分岐本体２１ａの開口３２に収容されており、分岐本体２１ａに供給された水，湯の混合割合を調節するためのものである。この調節部材５１は図９に示すように、略円柱形状のスピンドル５２と、スピンドル５２の一端に接続された弁体５４とから構成されたものである。またスピンドル５２の他端には操作軸５３が形成され、操作軸５３は分岐本体２１ａから外部へ突出しており、この操作軸５３は分岐本体２１ａの側面に設けられた操作部材５７と連繋している。なお固定ナット５５には第２弁座５６が一体に形成されており、調節部材５１が開口３２に収容された状態では、調節部材５１の弁体５４は第１弁座３７と第２弁座５６との範囲内でのみ移動可能となる。
【００３０】
前記操作部材５７は回転式のハンドルであり、分岐本体２１ａの分岐口３５と対向する側面に設けられている。また図９に示すように、操作部材５７は前記操作軸４２と連繋されており、この操作部材５７を操作すると、調節部材５１の弁体５４が両弁座３６，５６の間を移動することによって、弁体５４の弁座３６，５６に対する開口面積を変化させ、水，湯の混合室２５への流入量を調節する。
【００３１】
次に、分岐接続具２０ａに供給された水，湯の流れについて説明する。
水道配管の末端部Ｃから供給管１１を介して分岐本体２１ａへ供給された水は、水流入口２２を始端部とし、第１流路２６を経て水栓本体２へ供給されるとともに、第２流路２７へ流入され、逆止弁３１，調節部材５１を通過して混合室２５へ供給される（図９における矢印ｅ及びｆ）。また、水道配管の末端部Ｈから供給管１１を介して分岐本体２０ａへ供給された湯は、湯流入口２２ａを始端とし、第３流路２８を経て水栓本体２へ供給されるとともに、第４通路２９へ流入され、逆止弁３１，調節部材５１を通過して混合室２５へ供給される（図９における矢印ｇ及びｈ）。このとき、分岐本体２１ａの側面に設けられた操作部材５７を操作することで、調節部材５１の弁体５４の弁座３６，５６に対する開口面積を変化させ、混合室２５へ供給される水，湯の流入量を調節することができる。そして、所望温度に調節された混合水は、混合流路３４，分岐口３５へ経て混合水栓１の近傍（図９では混合水栓に対して左側）に設置された関連機器に送水される。
【００３２】
また実施例１と同様に、混合水栓１に対して他側方（図例では混合水栓に対して右側）に関連機器が設置される場合には、分岐本体２１ａはその中心で、壁面Ｗと混合水栓１とを結ぶ軸線Ｘ−Ｘを中心として１８０度回転させて分岐口３５を分岐本体２１ａの右側とし、湯流入口２２ａを水側に配置してこれを水流入口とし、水流入口２２を湯側に配置してこれを湯流入口とすることで、分岐接続具２０ａと関連機器とを接続する配管Ｐの長さを最短とすることができる。
【００３３】
このように実施例２では、分岐接続具２０ａには水，湯を混合する調節部材５１が収容され、この調節部材５１と連繋した操作部材５７を操作することにより、混合水の温度を調節することができ、分岐口３５と連通した関連機器に対して水，湯，混合水の何れの状態でも供給することができる。しかも、壁面Ｗと混合水栓１とを結ぶ軸線Ｘ−Ｘを中心として１８０度回転させて、混合水栓１の左右何れかに設置された関連機器に対応して分岐口３５の向きを変更させることができ、分岐接続具２０ａと関連機器とを接続する配管Ｐの長さを常に最短とすることができる。
【実施例３】
【００３４】
図１３乃至図１８は本発明の第３の実施例であり、この実施例では分岐接続具の上面及び底面に調節部材と連繋した操作部材を設けた点で実施例２と異なる。なお、先の実施例と同一の構成については同一符号を付し、詳細な説明は省略する。
【００３５】
図１４乃至図１７に示すように、分岐本体２１ｂの内部には、水流入口２２から水流出口２３へ連通する第１流路２６と、水流入口２２から混合室２５へ連通する第２流路２７とが形成されるとともに、湯流入口２２ａから湯流出口２３ａへ連通する第３流路２８と、湯流入口２２ａから混合室２５へ連通する第４流路２９とが形成されている。この混合室２５の上流側には、第２流路２７と第４流路２９とを連通するとともに、分岐本体２１ｂの上下を貫通するように開口３２が形成され、この開口３２には供給された水，湯の混合割合を調節するための調節部材６１が収容されている。また、混合室２５は分岐本体２１ｂの側面に形成された分岐口３５と混合流路３４を介して連通している。なお、第４流路２９と混合室２５との間には調節部材６１が接離可能な第１弁座３７が形成されている。
【００３６】
前記調節部材６１は固定ナット６５，６５ａを介して分岐本体２１ｂの開口３２に収容されており、分岐本体２１ｂに供給された水，湯の混合割合を調節するためのものである。この調節部材６１は図１４に示すように、略円柱形状のスピンドル６２と、スピンドル６２の略中央に接続された弁体６４とから構成されたものである。またスピンドル６２の両端には操作軸６３，６３ａが形成され、この操作軸６３，６３ａは分岐本体２１ｂから外部へ突出しており、一方の操作軸６３は分岐本体２１ｂの上面に設けられた操作部材６７と、他方の操作軸６３ａは分岐本体２１ｂの底面に設けられた操作部材６７ａとそれぞれ連繋している。なお一方の固定ナット６５には第２弁座６６が一体に形成されており、調節部材６１が開口３２に収容された状態では、調節部材６１の弁体６４は第１弁座３７と第２弁座６６との範囲内でのみ移動可能となる。
【００３７】
前記操作部材６７，６７ａは回転式のハンドルであり、一方は分岐本体２１ｂの上面に、他方は分岐本体２１ｂの底面に設けられている。また、一方の操作部材６７は操作軸６３と、他方の操作部材６７ａは操作軸６３ａとそれぞれ連繋されており、どちらか一方の操作部材を操作すると、調節部材６１の弁体６４が両弁座３７，６６の間を移動することによって、弁体６４の弁座３７，６６に対する開口面積を変化させ、水，湯の混合室２５への流入量を調節する。
【００３８】
次に、分岐接続具２０ｂに供給された水，湯の流れについて説明する。
水道配管の末端部Ｃから供給管１１を介して分岐本体２１ｂへ供給された水は、水流入口２２を始端部とし、第１流路２６を経て水栓本体２へ供給されるとともに、第２流路２７へ流入され、逆止弁３１，調節部材６１を通過して混合室２５へ供給される（図１４における矢印ｉ及びｊ）。また、水道配管の末端部Ｈから供給管１１を介して分岐本体２１ｂへ供給された湯は、湯流入口２２ａを始端とし、第３流路２８を経て水栓本体２へ供給されるとともに、第４通路２９へ流入され、逆止弁３１，調節部材６１を通過して混合室２５へ供給される（図１４における矢印ｋ及びｌ）。このとき、分岐本体２１ｂの上面に設けられた操作部材６７を操作することで、調節部材６１の弁体６４の弁座３７，６６に対する開口面積を変化させ、混合室２５へ供給される水，湯の流入量を調節することができる。そして、所望温度に調節された混合水は、混合流路３４，分岐口３５へ経て混合水栓の近傍（図１３では混合水栓に対して左側）に設置された関連機器に送水される。
【００３９】
また実施例１及び実施例２と同様に、混合水栓１に対して他側方（図例では混合水栓に対して右側）に関連機器が設置される場合には、壁面Ｗと混合水栓１とを結ぶ軸線Ｘ−Ｘを中心として１８０度回転させて、湯流入口２２ａを水側に配置してこれを水流入口とし、水流入口２２を湯側に配置してこれを湯流入口とすることで、分岐接続具２０ｂと関連機器とを接続する配管Ｐの長さを最短とすることができる。なおこのとき、操作部材６７は分岐接続具２０ｂの底面に位置し、操作部材６７ａは分岐接続具２０ｂの上面に位置する状態となる。
【００４０】
このように実施例３では、分岐接続具２０ｂには水，湯を混合する調節部材６１が収容され、この調節部材６１と連繋した操作部材６７，６７ａを操作することにより、混合水の温度を調節することができ、分岐口３５と連通した関連機器に対して水，湯，混合水の何れの状態でも供給することができる。しかも、分岐本体２１ｂは壁面Ｗと混合水栓１とを結ぶ軸線Ｘ−Ｘを中心として１８０度回転させて取り付けることで、混合水栓１の左右何れかに設置された関連機器に対応して分岐口３５の向きを変更させることができ、分岐接続具２０ｂと関連機器とを接続する配管Ｐの長さを常に最短とすることができる。
【図面の簡単な説明】
【００４１】
【図１】本発明の実施例１に係る分岐接続具を示す概略図である。
【図２】分岐接続具の内部構造を示す断面図である。
【図３】分岐接続具内の流路を表す説明図であり、（ａ）はＡ−Ａ線断面図、（ｂ）はＢ−Ｂ線断面図である。
【図４】第２流路の説明図であり、図３（ａ）におけるＣ−Ｃ線断面図である。
【図５】第４流路の説明図であり、図２におけるＤ−Ｄ線断面図である。
【図６】混合流路の説明図であり、図２におけるＥ−Ｅ線断面図である。
【図７】分岐接続具に収容された調節部材を示す斜視図である。
【図８】分岐接続具の分岐口の向きを図１とは反対となるように取り付けた状態の説明図である。
【図９】本発明の実施例２に係る分岐接続具の内部構造を示す断面図である。
【図１０】分岐接続具内の流路を表す説明図であり、（ａ）はＦ−Ｆ線断面図、（ｂ）はＧ−Ｇ線断面図である。
【図１１】第２流路の説明図であり、図９におけるＨ−Ｈ線断面図である。
【図１２】第４流路の説明図であり、図９におけるＩ−Ｉ線断面図である。
【図１３】本発明の実施例３に係る分岐接続具を示す概略図である。
【図１４】分岐接続具の内部構造を示す断面図である。
【図１５】分岐接続具内の流路を表す説明図であり、（ａ）はＪ−Ｊ線断面図、（ｂ）はＫ−Ｋ線断面図である。
【図１６】図１５におけるＬ−Ｌ線断面図である。
【図１７】分岐接続具内の流路を表す説明図であり、（ａ）はＭ−Ｍ線断面図、（ｂ）はＮ−Ｎ線断面図である。
【図１８】分岐接続具の分岐口の向きを図１３とは反対となるように取り付けた状態の説明図である。
【符号の説明】
【００４２】
１            ：混合水栓
２            ：水栓本体
１１          ：供給管
２０          ：分岐接続具
２１          ：分岐本体
２２，２２ａ  ：流入口
２３，２３ａ  ：流出口
２５          ：混合室
２６          ：第１流路
２７          ：第２流路
２８          ：第３流路
２９          ：第４流路
３２          ：開口
３５          ：分岐口
４１          ：調節部材
４７          ：操作部材
【図１】
2006169762.tif 000003
【図２】
2006169762.tif 000004
【図３】
2006169762.tif 000005
【図４】
2006169762.tif 000006
【図５】
2006169762.tif 000007
【図６】
2006169762.tif 000008
【図７】
2006169762.tif 000009
【図８】
2006169762.tif 000010
【図９】
2006169762.tif 000011
【図１０】
2006169762.tif 000012
【図１１】
2006169762.tif 000013
【図１２】
2006169762.tif 000014
【図１３】
2006169762.tif 000015
【図１４】
2006169762.tif 000016
【図１５】
2006169762.tif 000017
【図１６】
2006169762.tif 000018
【図１７】
2006169762.tif 000019
【図１８】
2006169762.tif 000020